(57)【要約】【課題】第２楔部材の楔挿入孔への上方からの挿入作業を、支柱側への方向である前後方向に位置決めされている第１楔部材及び仮設足場用部材に対して行うことができるようになる仮設足場用継手を提供すること。【解決手段】支柱２に設けられた楔受け部材４の楔挿入孔６に、仮設足場用部材に設けられた第１楔部材１１と第２楔部材１２が上方から挿入されることで、第１楔部材１１における支柱２側の前側端部１４が支柱２に圧接するとともに、第２楔部材１２における支柱２側とは反対側の後側端部が楔挿入孔６の内面に圧接し、第２楔部材１２における支柱２側の前側端部が第１楔部材１１に圧接して仮設足場用部材が支柱２に連結される仮設足場用継手であり、第１楔部材１１が楔挿入孔６に挿入されたときに、第１楔部材１１の前側端部１４が支柱２に当接するとともに、第１楔部材１１の後側端部２０が楔挿入孔６の内面に当接する。【選択図】図１０
2013217154.tif 000002
【特許請求の範囲】
【請求項１】
仮設足場を構築するために立設される支柱に仮設足場用部材を連結するための仮設足場用継手であって、
前記支柱に設けられ、この支柱側の端部がこの支柱まで達している楔挿入孔が上下方向に形成されている楔受け部材と、前記仮設足場用部材に固定され、前記支柱側への方向である前後方向の幅寸法が下向きに小さくなっている部分を備えた第１楔部材と、前記仮設足場用部材に前記第１楔部材に対し上下方向に移動可能に配置され、前記前後方向の幅寸法が下向きに小さくなっている部分を備えた第２楔部材とを有し、前記第１楔部材と前記第２楔部材が前記楔受け部材の前記楔挿入孔に上方から挿入されることにより、前記第１楔部材における前記支柱側の前側端部がこの支柱に圧接するとともに、前記第２楔部材における前記支柱側とは反対側の後側端部が前記楔挿入孔の内面に圧接し、前記第２楔部材における前記支柱側の前側端部が前記第１楔部材に圧接して前記仮設足場用部材が前記支柱に連結される仮設足場用継手において、
前記第１楔部材が前記楔挿入孔に挿入されたときに、前記第１楔部材の前記前側端部が前記支柱に当接するとともに、前記第１楔部材における前記支柱側とは反対側の後側端部が前記楔挿入孔の内面に当接することを特徴とする仮設足場用継手。
【請求項２】
請求項１に記載の仮設足場用継手において、前記第１楔部材が前記楔挿入孔に挿入されたときに、前記楔挿入孔の内面に当接する前記第１楔部材の前記後側端部の個数は、前記第１楔部材の厚さ方向に離れている２個となっていることを特徴とする仮設足場用継手。
【請求項３】
請求項２に記載の仮設足場用継手において、前記２個の箇所は、前記第１楔部材における前記支柱側とは反対側の後面と、この後面と角度をなす前記第１楔部材の厚さ方向の両方の面とが交差する２個の角部であることを特徴とする仮設足場用継手。
【請求項４】
請求項３に記載の仮設足場用継手において、前記２個の角部が当接する前記楔挿入孔の内面は、前記楔挿入孔のうち、前記支柱側とは反対側の部分を形成している部分であって、前記支柱側とは反対側へ湾曲突出している湾曲突出部の内面であることを特徴とする仮設足場用継手。
【請求項５】
請求項２に記載の仮設足場用継手において、前記２個の箇所は、前記第１楔部材における前記支柱側とは反対側の２個の後面であることを特徴とする仮設足場用継手。
【請求項６】
請求項５に記載の仮設足場用継手において、前記後面が当接する前記楔挿入孔の内面は、前記楔挿入孔のうち、前記後面と平行になっていて、前記支柱側とは反対側を形成している部分の内面であることを特徴とする仮設足場用継手。
【請求項７】
請求項１〜６のいずれかに記載の仮設足場用継手において、前記第１楔部材には、前記第２楔部材が上下方向に挿入可能となった挿入溝が形成されており、この挿入溝に上方から挿入されて前記後側端部が前記楔挿入孔の内面に圧接した前記第２楔部材は、前記前側端部の上下２箇所で前記第１楔部材に圧接し、これらの上下２箇所のうち、上側の箇所は、前記楔挿入孔の内面に圧接した第２楔部材の前記後側端部の箇所よりも上側であり、下側の箇所は、前記楔挿入孔の内面に圧接した第２楔部材の前記後側端部の前記箇所よりも下側であることを特徴とする仮設足場用継手。
【請求項８】
請求項１〜７のいずれかに記載の仮設足場用継手において、前記支柱に圧接する前記第１楔部材の前記前側端部は、上下２箇所あり、これらの上下２箇所のうち、上側の箇所は、前記楔挿入孔の内面に圧接した第２楔部材の前記後側端部の箇所よりも上側であり、下側の箇所は、前記楔挿入孔の内面に圧接した第２楔部材の前記後側端部の前記箇所よりも下側であることを特徴とする仮設足場用継手。
【請求項９】
請求項１〜８のいずれかに記載の仮設足場用継手において、前記第１楔部材には、前記第２楔部材が上下方向に挿入可能となった挿入溝が形成されているとともに、この挿入溝は、前記第１楔部材の厚さ寸法と対応する幅寸法となっている第１溝部と、この第１溝部よりも幅寸法が大きい第２溝部とを有する段付き状の溝となっており、前記第２楔部材の下部には、この第２楔部材の厚さ方向に突出し、かつこの突出長さが前記第２溝部の内部を上下に移動可能の長さとなっている突出部が設けられているとともに、前記第１楔部材の上部には、前記突出部が当接することにより前記第２楔部材が前記第１楔部材の上部から脱落することを防止するための第１脱落防止部が設けられ、前記第２楔部材の上部には、前記第１楔部材の上面に当接することにより前記第２楔部材が前記第１楔部材の下部から脱落することを防止するための第２脱落防止部が設けられていることを特徴とする仮設足場用継手。
【発明の詳細な説明】
【技術分野】
【０００１】
本発明は、仮設足場を構築するための支柱に仮設足場用部材を連結するための仮設足場用継手に係り、例えば、建築作業現場や土木作業現場、解体作業現場等の各種作業で構築される仮設足場の支柱と、手摺り部材や持ち送り枠等の各種の仮設足場用部材とを連結するために利用できるものである。
【背景技術】
【０００２】
建築作業現場等の作業現場では仮設足場が構築され、この仮設足場は、立設された支柱に手摺り部材や持ち送り枠等の仮設足場用部材を連結することにより構築され、支柱と仮設足場用部材は、仮設足場用継手により連結される。
【０００３】
下記の特許文献１に示されている仮設足場用継手は、支柱に設けられ、この支柱側の端部がこの支柱まで達している楔挿入孔が上下方向に形成されている楔受け部材と、仮設足場用部材に固定され、支柱側への方向である前後方向の幅寸法が下向きに小さくなっている部分を備えた第１楔部材と、仮設足場用部材に第１楔部材に対し上下方向に移動可能に配置され、前後方向の幅寸法が下向きに小さくなっている部分を備えた第２楔部材とを有するものとなっており、第１楔部材と第２楔部材が楔受け部材の楔挿入孔に上方から挿入されることにより、第１楔部材における支柱側の前側端部がこの支柱に圧接するとともに、第２楔部材における支柱側とは反対側の後側端部が楔挿入孔の内面に圧接し、第２楔部材における支柱側の前側端部が第１楔部材に圧接して仮設足場用部材が支柱に連結されるようになっている。
【先行技術文献】
【特許文献】
【０００４】
【特許文献１】特表２０００−５０３３５８号
【発明の概要】
【発明が解決しようとする課題】
【０００５】
上記特許文献１の仮設足場用継手では、第１楔部材の幅寸法は、楔挿入孔の寸法と比べてそれ程大きくなく、第１楔部材が楔挿入孔に上方から挿入されたときに、第１楔部材における支柱側の前側端部をこの支柱に当接させると、第１楔部材における支柱側とは反対側の後側端部は楔挿入孔の内面に当接せず、また、第１楔部材の後側端部を楔挿入孔の内面に当接させると、第１楔部材の前側端部はこの支柱に当接しない。このため、第２楔部材を楔挿入孔に上方から挿入して仮設足場用部材を支柱に連結するまでは、第１楔部材及び仮設足場用部材が、支柱側への方向である前後方向に位置決めされていないことになる。このため、第２楔部材の楔挿入孔への上方からの挿入作業を、前後方向に移動可能となっている第１楔部材及び仮設足場用部材に対して行わなければならない。
【０００６】
本発明の目的は、第２楔部材の楔挿入孔への上方からの挿入作業を、支柱側への方向である前後方向に位置決めされている第１楔部材及び仮設足場用部材に対して行うことができるようになる仮設足場用継手を提供するところにある。
【課題を解決するための手段】
【０００７】
本発明に係る仮設足場用継手は、仮設足場を構築するために立設される支柱に仮設足場用部材を連結するための仮設足場用継手であって、前記支柱に設けられ、この支柱側の端部がこの支柱まで達している楔挿入孔が上下方向に形成されている楔受け部材と、前記仮設足場用部材に固定され、前記支柱側への方向である前後方向の幅寸法が下向きに小さくなっている部分を備えた第１楔部材と、前記仮設足場用部材に前記第１楔部材に対し上下方向に移動可能に配置され、前記前後方向の幅寸法が下向きに小さくなっている部分を備えた第２楔部材とを有し、前記第１楔部材と前記第２楔部材が前記楔受け部材の前記楔挿入孔に上方から挿入されることにより、前記第１楔部材における前記支柱側の前側端部がこの支柱に圧接するとともに、前記第２楔部材における前記支柱側とは反対側の後側端部が前記楔挿入孔の内面に圧接し、前記第２楔部材における前記支柱側の前側端部が前記第１楔部材に圧接して前記仮設足場用部材が前記支柱に連結される仮設足場用継手において、前記第１楔部材が前記楔挿入孔に挿入されたときに、前記第１楔部材の前記前側端部が前記支柱に当接するとともに、前記第１楔部材における前記支柱側とは反対側の後側端部が前記楔挿入孔の内面に当接することを特徴とするものである。
【０００８】
本発明に係る仮設足場用継手では、第１楔部材が楔挿入孔に挿入されたときに、第１楔部材の前側端部が支柱に当接するとともに、この前側端部とは反対側となっている第１楔部材の後側端部が楔挿入孔の内面に当接するため、これらの当接により、第１楔部材を楔挿入孔に挿入したときに、第１楔部材及び仮設足場用部材を、支柱側への方向である前後方向に位置決めできることになり、このため、第２楔部材の楔挿入孔への上方からの挿入作業を、前後方向に不動となっている第１楔部材及び仮設足場用部材に対して行うことができ、これにより、第２楔部材を楔挿入孔に上方から挿入して打ち込む作業を容易に行えるようになる。
【０００９】
本発明において、第１楔部材が楔挿入孔に挿入されたときに、楔挿入孔の内面に当接する第１楔部材の後側端部の個数は、１個でもよく、あるいは、第１楔部材の厚さ方向に離れている２個でもよい。
【００１０】
後者によると、楔挿入孔の内面に当接する第１楔部材の後側端部の個数は、第１楔部材の厚さ方向に離れている２個であるため、第１楔部材を楔挿入孔に挿入したときに、一層確実に第１楔部材及び仮設足場用を前後方向に位置決めできることになる。
【００１１】
また、このように楔挿入孔の内面に当接する第１楔部材の後側端部の個数を２個とするためには、これらの２個の箇所を、例えば、第１楔部材における支柱側とは反対側の後面と、この後面と角度をなす第１楔部材の厚さ方向の両方の面とが交差する２個の角部としてもよい。
【００１２】
これによると、第１楔部材が楔挿入孔に挿入されたときに、支柱に対し第１楔部材及び仮設足場用部材を、第１楔部材の厚さ方向にも位置決めできることになり、第１楔部材及び仮設足場用材は第１楔部材の厚さ方向にも不動となるため、第２楔部材を楔挿入孔に上方から挿入して打ち込む作業を一層容易に行えるようになる。
【００１３】
そして、前記２個の箇所を、上述のように、第１楔部材における支柱側とは反対側の後面と、この後面と角度をなす第１楔部材の厚さ方向の両方の面とが交差する２個の角部とすることは、楔挿入孔のうち、例えば、支柱側とは反対側の部分を形成している部分を、支柱側とは反対側へ湾曲突出している湾曲突出部とすることにより、実現することができる。
【００１４】
なお、上記２個の角部のそれぞれは、面取りされている角部でもよく、面取りされていない角部でもよい。
【００１５】
また、上述のように第１楔部材が楔挿入孔に挿入されたときに、楔挿入孔の内面に当接する第１楔部材の後側端部の個数を２個とする場合には、これらの２個の箇所を、第１楔部材における支柱側とは反対側の２個の後面としてもよい。
【００１６】
これによると、楔挿入孔の内面に当接する第１楔部材の後側端部は、２個の後面となるため、第１楔部材と楔挿入孔の内面との当接を面接触として行わせることができ、このため、第１楔部材及び仮設足場用部材を前後方向に位置決めすることを一層確実に達成できる。
【００１７】
そして、上記２個の箇所を、上述のように、第１楔部材における支柱側とは反対側の２個の後面とすることは、これらの後面が当接する楔挿入孔の内面を、楔挿入孔のうち、例えば、前記後面と平行になっていて、支柱側とは反対側を形成している部分の内面とすることにより、実現できる。
【００１８】
また、本発明において、第１楔部材に、第２楔部材が上下方向に挿入可能となった挿入溝を形成し、この挿入溝に上方から挿入されて前記後側端部が楔挿入孔の内面に圧接した第２楔部材が、前記前側端部の上下２箇所で第１楔部材に圧接するようにし、これらの上下２箇所のうち、上側の箇所を、楔挿入孔の内面に圧接した第２楔部材の後側端部の箇所よりも上側とするとともに、下側の箇所を、楔挿入孔の内面に圧接した第２楔部材の後側端部の箇所よりも下側としてもよい。
【００１９】
これによると、第２楔部材の後側端部の箇所が楔挿入孔の内面に圧接することによる反作用により、第２楔部材の前側端部が第１楔部材に圧接する際に、第１楔部材に圧接する第２楔部材の前側端部の箇所は、楔挿入孔の内面に圧接する第２楔部材の後側端部の箇所から上下に離れている上下２箇所となるため、これらの上下２箇所において、第２楔部材の前側端部を第１楔部材に安定させて圧接させることを実現できることになり、これにより、仮設足場用部材を一層確実に支柱に連結できる。
【００２０】
さらに、本発明において、支柱に圧接する第１楔部材の前記前側端部を上下２箇所とし、これらの上下２箇所のうち、上側の箇所を、楔挿入孔の内面に圧接した第２楔部材の後側端部の箇所よりも上側とするとともに、下側の箇所を、楔挿入孔の内面に圧接した第２楔部材の後側端部の箇所よりも下側としてもよい。
【００２１】
これによると、第２楔部材の後側端部が楔挿入孔の内面に圧接して、第２楔部材の前側端部が第１楔部材に圧接した際に、支柱に圧接する第１楔部材の前側端部は、楔挿入孔の内面に圧接した第２楔部材の後側端部の箇所から上下に離れている上下２箇所となるため、これらの上下２箇所において、第１楔部材の前側端部を支柱に安定させて圧接させることができ、このため、支柱に仮設足場用部材をさらに一層確実に連結できることになる。
【００２２】
また、本発明において、第１楔部材に、第２楔部材が上下方向に挿入可能となった挿入溝を形成するとともに、この挿入溝を、第１楔部材の厚さ寸法と対応する幅寸法となっている第１溝部と、この第１溝部よりも幅寸法が大きい第２溝部とを有する段付き状の溝とし、第２楔部材の下部に、この第２楔部材の厚さ方向に突出し、かつこの突出長さが第２溝部の内部を上下に移動可能の長さとなっている突出部を設け、第１楔部材の上部に、この突出部が当接することにより第２楔部材が第１楔部材の上部から脱落することを防止するための第１脱落防止部を設けるとともに、前記第２楔部材の上部に、第１楔部材の上面に当接することにより第２楔部材が第１楔部材の下部から脱落することを防止するための第２脱落防止部を設けてもよい。
【００２３】
これによると、第１楔部材の上部からの第２楔部材の脱落は第１脱落防止部により防止され、第１楔部材の下部からの第２楔部材の脱落は第２脱落防止部により防止されるため、例えば、仮設足場の構築現場への仮設足場用部材の搬入時等において、第２楔部材は、仮設足場用部材に固定されている第１楔部材に対して分離不能となり、このため、第２楔部材についての管理、取り扱い等を容易化することできる。
【００２４】
以上の本発明において、本発明に係る仮設足場用継手で支柱に連結される仮設足場用部材は、任意の用途の部材でよく、この仮設足場用部材は、例えば、間隔をあけて立設された支柱同士の間に架け渡される手摺り部材やはり枠でもよく、あるいは、支柱に取り付けられる張出ブラケットや持ち送り枠、補助ステップ等でもよい。
【００２５】
また、支柱に設けられ、楔挿入孔が上下方向に形成されている楔受け部材は、水平の板材によるフランジ状のものでもよく、あるいは、上下寸法を有し、内部に楔挿入孔が上下に貫通形成されているポケット状のものでもよい。
【００２６】
さらに、本発明に係る仮設足場用継手は、任意な作業に用いられる仮設足場に適用でき、この仮設足場は、例えば、建築作業現場で構築されるものでもよく、土木作業現場で構築されるものでもよく、解体作業現場で構築されるものでもよい。
【発明の効果】
【００２７】
本発明によると、第２楔部材の楔挿入孔への上方からの挿入作業を、支柱側への方向である前後方向に位置決めされている第１楔部材及び仮設足場用部材に対して行うことができるという効果を得られる。
【図面の簡単な説明】
【００２８】
【図１】図１は、本発明の一実施形態に係る仮設足場用継手が採用された仮設足場を示す正面図である。
【図２】図２は、本実施形態の仮設足場用継手を示す斜視図である。
【図３】図３は、支柱に設けられた楔受け部材を示す平面図である。
【図４】図４は、図１のＳ４−Ｓ４線断面図であって、図２の仮設足場用継手を示す平面図である。
【図５】図５は、図２の仮設足場用継手を示す正面図である。
【図６】図６は、図５の仮設足場用継手の正断面図である。
【図７】図７は、図５のＳ７−Ｓ７線断面図である。
【図８】図８は、第１楔部材を楔受け部材の楔挿入孔に挿入した後であって、第２楔部材の挿入前を示す仮設足場用継手の正面図である。
【図９】図９は、図８の仮設足場用継手の正断面図である。
【図１０】図１０は、図９のＳ１０−Ｓ１０線断面図である。
【図１１】図１１は、別実施形態を示す図１０と同様の図である。
【発明を実施するための形態】
【００２９】
以下に本発明を実施するための形態を図面に基づいて説明する。図１には、本実施形態に係る仮設足場用継手Ａが適用されている仮設足場１が示されている。この仮設足場１は、間隔をあけて立設された複数本の支柱２と、互いに隣接する２本の支柱２同士の間に架け渡された手摺り部材１０と含んで構築されており、それぞれの支柱２の下端には、これらの支柱２の高さを調整可能とするジャッキベース部材３が配置されている。そして、それぞれの手摺り部材１０が、端部が支柱２に連結される本実施形態の仮設足場用部材となっている。
【００３０】
手摺り部材１０の両端部は、本実施形態に係る仮設足場用継手Ａにより支柱２に連結され、この仮設足場用継手Ａは、支柱２に溶接で固定された楔受け部材４と、手摺り部材１０の端部に溶接で固定された第１楔部材１１と、手摺り部材１０の端部において、第１楔部材１１に対し上下方向に移動可能に配置された第２楔部材１２とを含んで構成されている。なお、支柱２側への方向が、第１及び第２楔部材１１，１２についての前後方向であり、この前後方向と直交する水平方向は、第１及び第２楔部材１１，１２についての厚さ方向である。
【００３１】
図２は、仮設足場用継手Ａの斜視図を示しており、この図２に示されているように、本実施形態における楔受け部材４は、厚板を支柱２に水平に固定したものとなっているため、この楔受け部材４はフランジ状のものとなっている。
【００３２】
図３には、このフランジ状の楔受け部材４の平面図が示されている。楔受け部材４には、支柱２を挿入するための中心孔５と、この中心孔５の周囲に９０度の角度間隔で４個形成された楔挿入孔６と、これらの楔挿入孔６の間に、例えば、ブレース部材の端部を連結可能とするために形成された孔７とが設けられ、それぞれの楔挿入孔６は、支柱２側に設けられている幅狭の第１孔部６Ａと、この第１孔部６Ａと接続されて支柱２側とは反対側に設けられている幅広の第２孔部６Ｂとからなる段付き状となっている。なお、第１及び第２孔部６Ａ，６Ｂの幅方向は、支柱２の長さ方向である上下方向と直角をなす水平方向であって、第１及び第２楔部材１１，１２についての上述の厚さ方向でもある。
【００３３】
第１孔部６Ａの支柱２側の部分は、支柱２が挿入されている中心孔５と接続されており、このため、楔挿入孔６のうち、支柱２側の部分は、この支柱２の外周面が露出する部分となっており、また、第２孔部６Ｂの支柱２側とは反対側の部分は、支柱２側とは反対側へ湾曲突出した形状となっている。このため、楔挿入孔６のうち、支柱２側とは反対側の部分は、支柱２側とは反対側へ湾曲突出した湾曲突出部６Ｃとなっている。
【００３４】
図１のＳ４−Ｓ４線断面図である図４には、仮設足場用継手Ａの平面図が示され、図５には、この継手Ａの正面図が示されている。そして、図６には、継手Ａの正断面図が示されている。この図６に示されてように、楔受け部材４に上下に貫通して形成されている楔挿入孔６には、手摺り部材１０の端部に固定されている第１楔部材１１が上方から挿入可能となっている。図９のＳ１０−Ｓ１０線断面図である図１０には、第１楔部材１１の平断面図が示されており、この図１０に示されているように、第１楔部材１１は、支柱２側に設けられ、第１楔部材１１の厚さ方向の寸法が小さくなっている前部１１Ａと、この前部１１Ａと接続されて支柱２側とは反対側に設けられ、第１楔部材１１の厚さ方向の寸法が大きくなっている後部１１Ｂとからなる段付き状となっている。第１楔部材１１が楔挿入孔６に上方から挿入されるときには、前部１１Ａが第１孔部６Ａに挿入され、後部１１Ｂが第２孔部６Ｂに挿入される。
【００３５】
なお、前部１１Ａ及び第１孔部６Ａを支柱２側へ先細りとなったテーパー形状とし、これにより、第１楔部材１１を板金の折り曲げ加工等で容易に製造できるようにしてもよい。
【００３６】
また、図１０に示されているように、第１楔部材１１の内部には、第２楔部材１２が上下方向に挿入可能となっている挿入溝１３が上下に貫通して形成されており、この挿入溝１３は、支柱２側に設けられ、第２楔部材１２の厚さ方向にもなっている第１楔部材１１の厚さ方向の幅寸法が小さくなっている第１溝部１３Ａと、この第１溝部１３Ａと接続されて支柱２側とは反対側に設けられ、第１楔部材１１の厚さ方向の幅寸法が大きくなっている第２溝部１３Ｂとからなる段付き状となっている。そして、第２楔部材１２の厚さ寸法は、図１０から分かるように、第１溝部１３Ａの幅寸法と対応する寸法になっているため、この第１溝部１３Ａに第２楔部材１２を挿入することができ、このような第２楔部材１２の厚さ寸法は、図２や図５で示されている手摺り部材１０の長手方向に、すなわち、支柱２側への方向である前後方向に連続している。
【００３７】
また、図１０に示されているように、挿入溝１３における支柱２側の端部は、閉塞された端部となっており、挿入溝１３における支柱２側とは反対側の端部は、開放された端部となっているが、手摺り部材１０の端部が固定されている第１楔部材１１の高さ部分では、挿入溝１３における支柱２側とは反対側の端部は、この手摺り部材１０によって閉塞されている。
【００３８】
上述のように挿入溝１３における支柱２側の端部は閉塞された端部となっているため、図６及び図９に示されているように、第１楔部材１１における支柱２側の前側端部１４は、この第１楔部材１１の上下の全長に渡って閉塞された端部となっており、このように上下方向の長さを有している前側端部１４の途中には、支柱２側とは反対側へ窪んだ凹部１４Ａが設けられている。このため、この凹部１４Ａの上下には、支柱２側へ突出している２個の凸部１４Ｂ，１４Ｃが設けられている。そして、第１楔部材１１の下側の略半分となっている凸部１４Ｂと１４Ｃの間から第１楔部材１１の下端までの部分は、支柱２側への方向である前後方向の幅寸法が下向きに次第に小さくなっている第１楔部材１１の楔状部１１Ｃとなっている。また、挿入溝１３の内部には、この楔状部１１Ｃの範囲内において、第１楔部材１１の前側端部１４から支柱２側とは反対側へ隆起している隆起部１５が設けられている。
【００３９】
図６に示されているように、第２楔部材１２における支柱２側の前側端部１６は、この第２楔部材１２の上端の少し下側から第２楔部材１２の下端まで、支柱２側へ少し湾曲突出している湾曲突出部となって形成されており、これにより、この湾曲突出部が形成されている第２楔部材１２の大部分は、支柱２側への方向である前後方向の寸法が下向きに次第に小さくなっている第２楔部材１２の楔状部１２Ａとなっている。
【００４０】
図７は、図５のＳ７−Ｓ７線断面図である。この図７に示されているとおり、第２楔部材１２の下部には、この第２楔部材１２の厚さ方向に突出する長さを有している突出部１７が設けられ、この突出部１７は、第２楔部材１２の下部に形成した孔に打ち込み固定されたピンによって形成されている。突出部１７の第２楔部材１２からの全体突出長さは、言い換えると、突出部１７の全体の長さは、第１楔部材１１に形成されている挿入溝１３のうち、第２溝部１３Ｂの幅寸法よりも小さいため、第２楔部材１２を挿入溝１３の第１溝部１３Ａに沿って上下に移動させるときに、突出部１７は第２溝部１３Ｂの内部を上下に移動可能となっている。
【００４１】
また、図７に示されているように、第１楔部材１１の厚さ方向の両方の上端には、挿入溝１３の内側へ屈曲した一対の屈曲部１１Ｄが形成されており、また、第１楔部材１１の厚さ方向の両方の上部には、これらの屈曲部１１Ｄの下側において、挿入溝１３の内側へ突出している一対の突部１８が形成されている。これらの突部１８は、例えば、第１楔部材１１の厚さ方向の両側の面を内側へ押し出し加工することにより形成される。一対の屈曲部１１Ｄ同士の間の間隔及び一対の突部１８同士の間の間隔は、第２楔部材１２の厚さ寸法よりも少し大きいため、これらの屈曲部１１Ｄ同士の間及び一対の突部１８同士の間を第２楔部材１２を上下に挿通させることができる。そして、図８及び図９に示されているように、第２楔部材１２が第１楔部材１１の上部に達しているときには、第２楔部材１２を手摺り部材１０側へ倒すことにより、この第２楔部材１２を手摺り部材１０の上に載せることができるとともに、第２楔部材１２が斜め上側へ第１楔部材１１から離れる方向に移動しようとしたときには、第２楔部材１２の突出部１７が第１楔部材１１の屈曲部１１Ｄと突部１８とに当接することにより、第２楔部材１２が第１楔部材１１の上部から脱落することが防止される。
【００４２】
このため、第１楔部材１１の屈曲部１１Ｄと突部１８は、第２楔部材１２の突出部１７との協働により、第２楔部材１２が第１楔部材１１の上部から脱落することを防止するための図７の第１脱落防止部３１を構成するものとなっている。
【００４３】
また、図７に示されているように、第２楔部材１２の上端には、この第２楔部材１２の厚さ方向に拡張している拡張部１９が形成されている。このため、第１楔部材１１を支柱２に設けられている楔受け部材４の楔挿入孔６に図５及び図６のように挿入する前において、第２楔部材１２が第１楔部材１１の挿入溝１３の第１溝部１３Ａに上方から挿入されても、拡張部１９が第１楔部材１１の上面を形成している一対の屈曲部１１Ｄに当接することにより、第２楔部材１２が第１楔部材１１の下部から脱出することが防止される。
【００４４】
このため、拡張部１９は、第２楔部材１２の上部に設けられていて、第１楔部材１１の上面に当接することにより第２楔部材１２が第１楔部材１１の下部から脱落することを防止するための図７の第２脱落防止部３２を構成するものとなっている。
【００４５】
このように本実施形態に係る仮設足場用継手Ａは、第２楔部材１２が第１楔部材１１の上部から脱出することを防止するための第１脱落防止部３１と、第２楔部材１２が第１楔部材１１の下部から脱出することを防止するための第２脱落防止部３２とを備えたものとなっているため、手摺り部材１０を図１で示した仮設足場１を構築する作業現場まで、あるいは、仮設足場１が解体された作業現場から他の作業現場まで持ち運んだり搬送したりする際に、手摺り部材１０の端部に固定された第１楔部材１１に対して第２楔部材１２を分離不能とすることができ、このため、第２楔部材１２についての管理、取り扱い等を容易に行うことができる。
【００４６】
次に、図１で示されている仮設足場１を構築するために、本実施形態に係る仮設足場用継手Ａにより支柱２と手摺り部材１０の端部とを連結する作業について説明する。
【００４７】
この作業の開始時には、第２楔部材１２は、図８及び図９に示されているように、横倒し状態とされて手摺り部材１０の上に載せられており、この状態において、第１楔部材１１は、支柱２に設けられている楔受け部材４の楔挿入孔６に上方から挿入される。この挿入後の状態が図８及び図９に示されており、第１楔部材１１が楔挿入孔６に上方から挿入されると、図１０に示されているように、第１楔部材１１における支柱２側の前側端部１４が、図９で示した前述の上下２個の凸部１４Ｂ，１４Ｃにおいて、支柱２の外周面に当接するとともに、図１０に示されているように、第１楔部材１１における支柱２側とは反対側の後側端部２０が楔挿入孔６の内面に当接する。
【００４８】
すなわち、本実施形態では、第１楔部材１１に設けられている図６の楔状部１１Ｃについての前後方向の幅寸法は、第１楔部材１１の前側端部１４の凸部１４Ｂ，１４Ｃが支柱２の外周面に当接したときに、第１楔部材１１の後側端部２０が楔挿入孔６の内面に当接するという寸法に設定されている。
【００４９】
そして、本実施形態では、楔挿入孔６のうち、支柱２側とは反対側の部分は、図１０で示されているように、支柱２側とは反対側へ湾曲突出した湾曲突出部６Ｃとなっているため、楔挿入孔６の内面に当接する第１楔部材１１の後側端部２０の箇所は、この図１０に示されているように、第１楔部材１１における支柱２側とは反対側の２個の後面２１と、これらの後面２１と角度をなす第１楔部材１１の厚さ方向の両方の面２２，２３とが交差する２個の角部２４，２５となる。
【００５０】
このため、楔挿入孔６に挿入された第１楔部材１１は、支柱２側への方向である前後方向に位置決めされるとともに、この前後方向と直交する水平方向である第１楔部材１１の厚さ方向にも位置決めされることになり、第１楔部材１１及び手摺り部材１０は、前後方向と第１楔部材１１の厚さ方向との両方について、不動となる。
【００５１】
なお、上記２個の角部２４，２５は、予め面取り加工された箇所となっていてもよく、面取り加工されていない箇所となっていてもよい。
【００５２】
この後に、第１楔部材１１を、この第１楔部材１１の上面をハンマー等の工具で打圧して下方へ打ち込む作業を行うことにより、第１楔部材１１の前側端部１４の凸部１４Ｂ，１４Ｃは支柱２の外周面に圧接するとともに、第１楔部材１１の２個の角部２４，２５は、楔挿入孔６の湾曲突出部６Ｃの内面に圧接する。
【００５３】
次いで、手摺り部材１０に上に横倒し状態とさせていた第２楔部材１２を起立させ、この第２楔部材１２を第１楔部材１１に形成されている挿入溝１３の第１溝部１３Ａに挿入する。この挿入作業を行うと、第１楔部材１１は楔挿入孔６に挿入されているため、第２楔部材１２もこの楔挿入孔６に挿入されることになり、この後に、第２楔部材１２を、この第２楔部材１２の頭部に設けられている拡張部１９をハンマー等の工具で打圧して下方へ打ち込む作業を行う。この打ち込み作業後の状態が図５及び図６で示されており、第２楔部材１２をハンマー等の工具で下方へ打ち込むと、図６に示されているように、第２楔部材１２における支柱２側とは反対側の後側端部２６のうちの箇所２６Ａが楔挿入孔６の内面に圧接するとともに、第２楔部材１２の前記楔状部１２Ａにおける前側端部１６は、第１楔部材１１の挿入溝１３の第１溝部１３Ａにおける上端部２７と、前述の隆起部１５とに圧接し、さらに、第１楔部材１１は、この第１楔部材１１の前側端部１４の上下２箇所に設けられている前述の凸部１４Ｂ，１４Ｃにおいて、支柱２の外周面に一層強く圧接される。
【００５４】
以上により、手摺り部材１０の端部は、支柱２に、この支柱２に設けられた楔受け部材４と、手摺り部材１０の端部に設けられた第１及び第２楔部材１１，１２とを構成要素とする仮設足場用継手Ａにより、連結されたことになる。
【００５５】
以上説明した本実施形態によると、第１楔部材１１が楔受け部材４の楔挿入孔６に挿入されたときに、第１楔部材１１の前側端部１４が支柱２に当接するとともに、第１楔部材１１の後側端部２０が楔挿入孔６の内面に当接するため、第１楔部材１１及び手摺り部材１０が、支柱２側への方向である前後方向に位置決めされてこの前後方向に不動となるため、この後に行う第１楔部材１１の挿入溝１３の第１溝部１３Ａへの第２楔部材１２の上方からの挿入作業と、第２楔部材１２の下方への打ち込み作業とを、容易に行えることになる。
【００５６】
また、本実施形態において、第１楔部材１１の後側端部２０が楔挿入孔６の内面に当接する箇所は、図１０で説明したように、第１楔部材１１の２個の後面２１と、これらの後面２１と角度をなす第１楔部材１１の厚さ方向の両方の面２２，２３とが交差する２個の角部２４，２５であり、これらの角部２４，２５は、第１楔部材１１の厚さ方向に離れている２個の箇所となっているため、第１楔部材１１を楔挿入孔６に挿入することにより、第１楔部材１１及び手摺り部材１０を、第１楔部材１１の厚さ方向にも位置決めしてこの厚さ方向にも不動とすることができ、このため、第２楔部材１２を第１楔部材１１の挿入溝１３の第１溝部１３Ａへ上方から挿入する作業と、第２楔部材１２の下方への打ち込み作業とを、一層容易に行える。
【００５７】
また、第２楔部材１２の打ち込み作業により、第２楔部材１２の後側端部２６の箇所２６Ａが楔挿入孔６の内面に圧接したときに、第２楔部材１２の楔状部１２Ａにおける前側端部１６が第１楔部材１１に圧接する箇所は、図６で示されているように、第１楔部材１１の挿入溝１３の第１溝部１３Ａにおける上端部２７に対応する箇所と、隆起部１５に対応する箇所との上下２箇所である。そして、上端部２７に対応する箇所は、楔挿入孔６の内面に圧接した第２楔部材１２の後側端部２６の箇所２６Ａよりも上側であり、隆起部１５に対応する箇所は、この箇所２６Ａよりも下側であるため、第２楔部材１２の後側端部２６の箇所２６Ａが楔挿入孔６の内面に圧接することによる反作用により、第２楔部材１２の前側端部１６を安定させて第１楔部材１１に圧接させることができる。
【００５８】
すなわち、上述の上下２箇所のうち、一方の箇所の高さ位置が、楔挿入孔６の内面に圧接した第２楔部材１２の後側端部２６の箇所２６Ａと同じ又は略同じ高さ位置となっている場合には、この箇所２６Ａが楔挿入孔６の内面に圧接することによる反作用により、上述の上下２箇所のうち、一方の箇所が他方の箇所よりも大きな圧接力によって第１楔部材１１に圧接してしまって、他方の箇所が第１楔部材１１に小さな圧接力で圧接したり、圧接しなかったりし、これによると、第２楔部材１２の前側端部１６を第１楔部材１１に安定させた状態で圧接させることは困難となるが、本実施形態によるとこのような問題を解決できる。
【００５９】
さらに、本実施形態では、第２楔部材１２の打ち込み作業を行ったときに支柱２に圧接する第１楔部材１１の前側端部１４の箇所は、凸部１４Ｂ，１４Ｃでの上下２箇所であり、これらの上下２箇所のうち、上側の凸部１４Ｂの箇所は、楔挿入孔６の内面に圧接した第２楔部材１２の後側端部２６の箇所２６Ａよりも上側であり、下側の凸部１４Ｃの箇所は、この箇所２６Ａよりも下側であるため、この箇所２６Ａが楔挿入孔６の内面に圧接して、第２楔部材１２の前側端部１６の上下２箇所が第１楔部材１１に圧接した際に、第１楔部材１１の前側端部１４は、上述の第２楔部材１２の前側端部１６の上下２箇所での圧接と同様に、上下２個の凸部１４Ｂ，１４Ｃにおいて、支柱２に安定して圧接することになり、これにより、支柱２に手摺り部材１０を一層確実に連結できることになる。
【００６０】
また、本実施形態によると、第２楔部材１２の下端に、何らかの理由によって下側から上側への外力が作用しても、前述のようにこの第２楔部材１２の前側端部１６は、第１楔部材１１の挿入溝１３の第１溝部１３Ａにおける上端部２７と、隆起部１５との上下２箇所において、第１楔部材１１に圧接していて、第２楔部材１２の後側端部２６は、前記箇所２６Ａにおいて、楔挿入孔６の内面に圧接しており、第２楔部材１２の前述の楔状部１２Ａは、前側端部１６が支柱２側へ湾曲突出している湾曲突出部となっており、この楔状部１２Ａの前後方向の幅寸法は、この湾曲突出部と対応して変化する寸法となっているため、下側から真っ直ぐ上側へ作用する外力については、第２楔部材１２が第１楔部材１１及び楔挿入孔６に対して上方へ抜け移動することはなく、これにより、支柱２に手摺り部材１０の端部を、楔受け部材４、第１及び第２楔部材１１，１２で構成される仮設足場用継手Ａにより、一層確実に連結することができる。
【００６１】
図１１は、別実施形態を示している。この図１１の実施形態では、楔挿入孔６の内面に当接する第１楔部材１１の後側端部２０を、第１楔部材１１における支柱２側とは反対側の２個の後面２１としている。そして、これらの後面２１と、楔受け部材４の楔挿入孔６の内面とを面接触させるために、この楔挿入孔６のうち、支柱２側とは反対側の部分に、後面２１と平行になっている２個の直線部６Ｄを設け、これらの直線部６Ｄの内面に後面２１を面接触させている。
【００６２】
この実施形態によると、第１楔部材１１の後側端部２０は、楔挿入孔６の内面と面接触するため、第１楔部材１１及び手摺り部材１０を、支柱側への方向である前後方向に一層確実に位置決めしてこの前後方向に不動とすることができる。
【産業上の利用可能性】
【００６３】
本発明は、建築作業現場や土木作業現場、解体作業現場等の各種作業で構築される仮設足場の支柱と、手摺り部材や持ち送り枠等の各種の仮設足場用部材とを連結するために利用することができる。
【符号の説明】
【００６４】
１  仮設足場
２  支柱
４  楔受け部材
６  楔挿入孔
６Ｃ  湾曲突出部
６Ｄ  第１楔部材の後面と平行になっている楔挿入孔の部分
１０  仮設足場用部材である手摺り部材
１１  第１楔部材
１２  第２楔部材
１３  挿入溝
１３Ａ  第１溝部
１３Ｂ  第２溝部
１４  第１楔部材の前側端部
１６  第２楔部材の前側端部
１７  突出部
２０  第１楔部材の後側端部
２１  第１楔部材の後面
２２，２３  第１楔部材の厚さ方向の両方の面
２４，２５  角部
２６  第２楔部材の後側端部
２６Ａ  挿入溝に圧接する第２楔部材の後側端部の箇所
３１  第１脱落防止部
３２  第２脱落防止部
Ａ  仮設足場用継手
【図１】
2013217154.tif 000003
【図２】
2013217154.tif 000004
【図３】
2013217154.tif 000005
【図４】
2013217154.tif 000006
【図５】
2013217154.tif 000007
【図６】
2013217154.tif 000008
【図７】
2013217154.tif 000009
【図８】
2013217154.tif 000010
【図９】
2013217154.tif 000011
【図１０】
2013217154.tif 000012
【図１１】
2013217154.tif 000013